(57)【要約】【課題】  直管蛍光灯ランプ等の省スペース化を図る。【解決手段】  ランプカバー４は、直管蛍光灯ランプ６を収容する。インバータカバー２は、ランプカバー４の上にその爪によって固定される。インバータ電源１は、インバータカバー２内にあってネジによってインバータカバーと結合される。ゴムキャップ５、９は、ランプカバーの両端に挿入されランプカバーを設置面に固定する。ケーブル７、１２は、インバータ電源１からの電圧を、ゴムキャップ５、９を介してランプカバー４内の直管蛍光灯ランプ６の電源端子に伝達する。【選択図】      図１
2006190694.tif 000002
【特許請求の範囲】
【請求項１】
インバータ電源内蔵直管蛍光灯において、前記直管蛍光灯ランプを収容するランプカバーと、前記ランプカバーの上に固定されたインバータカバーと、前記インバータカバー内にあって前記インバータカバーと結合されたインバータ電源と、前記ランプカバーの両端に挿入され前記ランプカバーを設置面に固定するゴムキャップとを含んで構成されることを特徴とするインバータ電源内蔵直管蛍光灯ランプ。
【請求項２】
前記インバータカバーと前記インバータ電源とはねじによって結合されることを特徴とする請求項１記載のインバータ電源内蔵直管蛍光灯ランプ。
【請求項３】
前記ランプカバーは、その表面に軸方向に沿い両側に縁を備えた板状の平面を有し、前記平面の裏側の内面に凹部を有し、前記インバータカバーは前記ランプカバーの前記平面上に固定されることを特徴とする請求項１記載のインバータ電源内蔵直管蛍光灯ランプ。
【請求項４】
前記インバータカバーは前記ランプカバーの前記平面の前記縁を前記インバータカバーの爪で挟むことによって固定されることを特徴とする請求項３記載のインバータ電源内蔵直管蛍光灯ランプ。
【請求項５】
前記ゴムキャップは前記ランプカバーへの挿入部分に前記ゴムキャップの軸に沿って凸部を有し、前記凸部を前記ランプカバーの前記凹部に勘合させることにより前記ランプカバーを固定することを特徴とする請求項１及び３記載のインバータ電源内蔵直管蛍光灯ランプ。
【請求項６】
前記インバータ電源はケーブルを具備し、前記ケーブルは、前記ゴムキャップを介して前記インバータ電源と前記直管蛍光灯ランプの電源端子を接続し、前記インバータ電源と前記直管蛍光灯ランプの電圧伝達を行うことを特徴とする請求項１記載のインバータ電源内蔵直管蛍光灯ランプ。
【発明の詳細な説明】
【技術分野】
【０００１】
本発明は蛍光灯器具に関し、省スペース化を図ろうとする、直管蛍光灯に関する。
【背景技術】
【０００２】
従来、ショーケース内照明や、遊技台の背面照明には、インバータ電源付き直管蛍光灯ランプが使用されているが、照度とともに、スペースをとらないことが要求される。
【０００３】
そのため、例えば、特許文献１に記載された発明では、インバータ電源とソケット、及び、変圧器ユニットとソケットを一体化させ、直管蛍光灯ランプの両端に取り付ける方法が考案され、インバータ電源と直管蛍光灯ランプを別々に取り扱う従来の方法に比べ、省スペース化の効率を向上させている。
【０００４】
【特許文献１】特開平５−２２５８１８公報
【発明の開示】
【発明が解決しようとする課題】
【０００５】
しかし、上述した特開平５−２２５８１８公報に記載された方法では、インバータ電源部と変圧器の長さが大きなウエイトを占め、幅が限られたショーケースや遊技台では、直管蛍光灯ランプの長さに制限が生じ、長さ方向での効率が悪いという問題があった。
【０００６】
本発明の目的は、直管蛍光灯ランプカバーの背面でインバータ電源を一体化する方法を提供し、省スペース化を図ることにある。
【課題を解決するための手段】
【０００７】
本願の第１の発明は、インバータ電源内蔵直管蛍光灯において、前記直管蛍光灯ランプを収容するランプカバーと、前記ランプカバーの上に固定されたインバータカバーと、前記インバータカバー内にあって前記インバータカバーと結合されたインバータ電源と、前記ランプカバーの両端に挿入され前記ランプカバーを設置面に固定するゴムキャップとを含んで構成されることを特徴とする。
【０００８】
本願の第２の発明は、第１の発明の前記インバータカバーと前記インバータ電源とはねじによって結合されることを特徴とする。
【０００９】
本願の第３の発明は、第１の発明の前記ランプカバーは、その表面に軸方向に沿い両側に縁を備えた板状の平面を有し、前記平面の裏側の内面に凹部を有し、前記インバータカバーは前記ランプカバーの前記平面上に固定されることを特徴とする。
【００１０】
本願の第４の発明は、第３の発明の前記インバータカバーは前記ランプカバーの前記平面の前記縁を前記インバータカバーの爪で挟むことによって固定されることを特徴とする。
【００１１】
本願の第５の発明は、第１及び３の発明の前記ゴムキャップは前記ランプカバーへの挿入部分に前記ゴムキャップの軸に沿って凸部を有し、前記凸部を前記ランプカバーの前記凹部に勘合させることにより前記ランプカバーを固定することを特徴とする。
【００１２】
本願の第６の発明は、第１の発明の前記インバータ電源はケーブルを具備し、前記ケーブルは、前記ゴムキャップを介して前記インバータ電源と前記直管蛍光灯ランプの電源端子を接続し、前記インバータ電源と前記直管蛍光灯ランプの電圧伝達を行うことを特徴とする。
【００１３】
［作用］
ネジ３を用いたことにより、インバータ電源１とインバータカバー２をランプカバー４の上部に載せることができ、一体化が可能になる。爪ロック１０を用いたことにより、ランプカバー４の溝にインバータカバー２からでている爪ロック１０をかぶせ固定できる。インバータ電源１から出ているケーブル７、ケーブル１２をゴムキャップ５、ゴムキャップ９を介することにより、容易に直管蛍光灯の電源に接続できる。ゴムキャップ５、ゴムキャップ９の穴に直管蛍光灯ランプ６を挿入し、ランプカバー２にゴムキャップ５、ゴムキャップ９を挿入することで両者が固定できる。
【発明の効果】
【００１４】
本発明は直管蛍光灯ランプカバーの背面でインバータ電源を一体化するようにしたことにより、直管蛍光灯ランプの長さ方向でのスペース改善の効果がある。
【発明を実施するための最良の形態】
【００１５】
次に、本発明の実施の形態について図面を参照して詳細に説明する。
【００１６】
図１は、本発明のインバータ電源内蔵直管蛍光灯ランプの一実施の形態を示す構造図である。図１における（ａ）は、インバータ電源内蔵直管蛍光灯ランプの正面図、（ｂ）は上面図、（ｃ）は断面Ｃ−Ｃ図、（ｄ）は断面Ａ−Ａ図、（ｅ）は断面Ｂ−Ｂ図である。また、図２は、本発明のインバータ電源内蔵直管蛍光灯ランプの斜視図、図３は、図２の分解図である。
【００１７】
図１及び図３に示すように、インバータ電源１とインバータカバー２を、ネジ３によって固定する。そして、ランプカバー４の上に載せる。ランプカバー４の溝部にインバータカバーからでている爪ロック１０を合わせることで、両者が固定される。ゴムキャップ５、ゴムキャップ９は、ランプカバー４の両端にはめ込まれ、ランプカバー４内で直管蛍光灯ランプ６を固定する。さらにゴムキャップ５、ゴムキャップ９は、ショーケース内照明や、遊技台の設置面に接着剤などで固定される。ケーブル７、ケーブル１２は、ゴムキャップ５、ゴムキャップ９を介してインバータ電源１と直管蛍光灯ランプ６の電源端子を接続し、インバータ電源１と直管蛍光灯６の電圧伝達を行う。
【００１８】
また、図１（ｅ）から分かるように、ランプカバー凹部１４と、ゴムキャップ５、ゴムキャップ凸部１５を勘合させることにより、ランプカバー４即ち、インバータ電源１及びインバータカバー２が回転するのを防ぐ。
【００１９】
尚、高電圧側１１はインバータカバー２により覆われており、安全性を確保している。また、インバータカバー２に穴１３を設けることにより放熱性を良くしている。さらに、ランプカバー４の形状を図１（ｅ）のＤ部及び図３に示すように、板状の形状を円筒に加えることで、外力に耐えられる強度がＵＰしている。そして、ランプカバー４の両端にゴムキャップ５，９を取り付けることにより、耐衝撃性を向上させている。
【００２０】
以下は、図１、図３で示す、本発明のインバータ電源内蔵直管蛍光灯ランプの動作説明である。
【００２１】
インバータ電源１の電源コネクタ８にＤＣ２４Ｖが入力される。そしてインバータ電源１内でＤＣ／ＡＣ変換され、インバータ電源の両端から交流電圧が出力され、一定の電圧まで上昇する。交流電圧はケーブル７、ケーブル１２を通って直管蛍光灯ランプ６に印加される。交流電圧が直管蛍光灯ランプ６の放電開始電圧に達すると、管内部が放電開始状態となり、直管蛍光灯ランプ６が点灯する。
【００２２】
インバータ電源１，直管蛍光灯ランプ６に何らかの異常が起きた場合は、図示はしていないが、ユニット誤動作とみなしインバータ入力部の過電流保護のヒューズにて遮断する。
【００２３】
次に、本発明の第２の実施形態について説明する。
【００２４】
蛍光灯ランプが、直管蛍光灯以外のＵ字管蛍光灯などの場合も、本発明が、同様に適用できることはいうまでもない。
【図面の簡単な説明】
【００２５】
【図１】本発明のインバータ電源内蔵直管蛍光灯ランプの一実施の形態を示す構造図である。
【図２】本発明のインバータ電源内蔵直管蛍光灯ランプの斜視図である。
【図３】図２の分解図である。
【符号の説明】
【００２６】
１    インバータ電源
２    インバータカバー
３    ネジ
４    ランプカバー
５    ゴムキャップ
６    直管蛍光灯ランプ
７    ケーブル
８    電源コネクタ
９    ゴムキャップ
１０    爪ロック
１１    高電圧側
１２    ケーブル
１３    穴
１４    ランプカバー凹部
１５    ゴムキャップ凸部
【図１】
2006190694.tif 000003
【図２】
2006190694.tif 000004
【図３】
2006190694.tif 000005